Podtech/llm-jp-corpus-v4-ja_patent huggingface dataset:
(57)【要約】【課題】従来の草履は鼻緒で足を固定するが活動的な動作などで脱げやすかった。また着る衣装と調和する草履を選択していた。このため鼻緒の色、柄の違うものを複数揃える必要もあった。だれもが簡便に従来の草履にしっかりと装着でき、取り替えも容易にでき、保温にもなる鼻緒飾りを提供することである。【解決手段】従来の草履の鼻緒に鼻緒飾りを巻くようにして付け、後部の平面ファスナーでかかとにしっかりと固定できる。幅広な鼻緒飾りは従来の鼻緒上面より幅広い面を構成し衣装に合った色、柄を表現することができる。幅広い鼻緒飾りにより足の一部を保温することができる。平面ファスナーにより容易に着脱できる。【選択図】図４
2006130268.tif 000002
【特許請求の範囲】
【請求項１】
従来の草履は鼻緒のみで足に固定するが、履きなれない人や活動的な動作では脱げやすい。草履を履いた時、脱落しにくく活動的な動作にも対応できるよう草履の鼻緒上部を鼻緒飾りで巻くように装着し、鼻緒飾りの両端部を足のかがと部に回して締め、両端部に固着した平面ファスナーで容易に固定することを特徴とする鼻緒飾り。
【請求項２】
従来の草履の鼻緒を鼻緒飾りの取り付け部として使用し、幅広な鼻緒飾りの採用により、足の保温性を持たせ、従来の細い鼻緒では表現できない鼻緒の意匠を広い面に表現できることを特徴とする鼻緒飾り。
【発明の詳細な説明】
【技術分野】
【０００１】本発明は、草履の鼻緒飾りに関し、鼻緒上面に幅広い鼻緒飾りを容易に着脱することで、鼻緒と足の固定と鼻緒上面の意匠を替えることができる鼻緒飾りに関する。
【背景技術】
【０００２】従来の草履は着る衣装によって鼻緒の色、柄を替えることができず、草履本体を衣装に合わせて履き替えていた。また草履による足の保温性を施したものなどなかった。
【発明の開示】
【発明が解決しようとする課題】
【０００３】従来の草履は鼻緒のみで足に固定するが、履きなれない人や活動的な動作では脱げやすかった。草履を履いた時、脱げにくく活動的な動作に対応できる着脱容易な鼻緒飾りを提供することを目的とする。【０００４】従来の草履は着る衣装によって調和する鼻緒の色、柄のみを替えることができなかった。従来の草履本体をそのまま使い、衣装に合せて鼻緒飾りを簡易に着脱できる幅広い鼻緒飾りを提供することを目的とする。【０００５】従来の草履の鼻緒は細く足の保温性など考慮していなかった。足の一部を保温可能にし、容易に着脱できる鼻緒飾りを提供する。
【課題を解決するための手段】
【０００６】本考案の鼻緒飾りは、草履を履きなれない人や、活動的な動作でも脱落しないよう、草履の鼻緒上面を布等の柔らかな素材で作成した鼻緒飾りを巻くように装着し、鼻緒飾りの両端部を足のかがと部に回して締め、両端部に固着した平面ファスナーでかかと部にしっかりと容易に固定し脱げにくくすることを特徴とする鼻緒飾り。【０００７】鼻緒飾りは、従来の草履をそのまま使い、草履の鼻緒を鼻緒飾りの取り付け部として使用し、従来の鼻緒より幅広な鼻緒飾りの採用で鼻緒の意匠を美的に表現できることを特徴とする鼻緒飾り。【０００８】鼻緒飾りは幅広なため、取り付けた状態で足に密着するので、布地や布素材により足の一部を保温する効果がある。
【発明の効果】
【０００９】本考案は従来の草履を使い、鼻緒飾りで草履とかかとを固定することによって、活動的な動作でも脱げないようにする。鼻緒飾りを簡易に着脱することにより従来和装等の衣装に調和する草履を選択していたが、草履自体の鼻緒の色、柄の意匠に関係なく、衣装と鼻緒飾りの調和するもので、簡易に鼻緒飾りを取り付けることができる。幅広の鼻緒飾りにより、足の保温効果にもなる履物を提供することである。
【発明を実施するための最良の形態】
【００１０】以下、本発明の実施の形態を図に基づいて説明する。
【実施例】
【００１１】本考案の鼻緒飾りは図１の鼻緒飾り１の通り鼻緒とかかとにまわる図のような曲線形状に、布等の柔らかな素材を用いて作成した鼻緒飾り両端部に平面ファスナー２ａ、２ｂを固着する。この鼻緒飾りを図２の鼻緒４ａ、４ｂの前部内面を通して、鼻緒飾りの右端が左下へ、左端が右下方向へ交差するように鼻緒前部を巻くように折り、図３の姿にする。【００１２】図４の草履をはいた状態でかかと上部で平面ファスナー２ａ、２ｂでとめる。従来の草履の鼻緒はこの鼻緒飾りで覆われ、幅広の鼻緒飾りの意匠を見せることができる。また平面ファスナーにより容易に着脱できる。
【図面の簡単な説明】
【００１３】
【図１】鼻緒飾り構成の平面図
【図２】折り返し状態を示す平面図
【図３】折り返した状態を示す平面図
【図４】鼻緒飾りの後部取り付けを示す斜視図
【符号の説明】
【００１４】１・・・・・・・鼻緒飾り
２ａ・・・・・・平面ファスナー
２ｂ・・・・・・平面ファスナー
３・・・・・・・草履台
４ａ・・・・・・鼻緒
４ｂ・・・・・・鼻緒
【図１】
2006130268.tif 000003
【図２】
2006130268.tif 000004
【図３】
2006130268.tif 000005
【図４】
2006130268.tif 000006
(57)【要約】【課題】従来の草履は鼻緒で足を固定するが活動的な動作などで脱げやすかった。また着る衣装と調和する草履を選択していた。このため鼻緒の色、柄の違うものを複数揃える必要もあった。だれもが簡便に従来の草履にしっかりと装着でき、取り替えも容易にできる鼻緒飾りを提供することである。【解決手段】従来の草履の鼻緒に鼻緒飾りを巻いて付け、後部の平面ファスナーでかかとにしっかりと固定し、着脱も容易にできる。鼻緒飾りは従来の鼻緒上面より幅広い面を構成し衣装に合った色、柄を表現することができ草履自体を替えることがない。【選択図】  図４
2006130269.tif 000002
【特許請求の範囲】
【請求項１】
従来の草履は鼻緒のみで足に固定するが、履きなれない人や活動的な動作では脱げやすい。草履を履いた時、脱落しにくく活動的な動作にも対応できるよう草履の鼻緒上部を鼻緒飾りで巻いて装着し、鼻緒飾りの両端部を足のかがと部に回して締め、鼻緒飾りの中ほどに付けた左右の紐を足に結び固定することを特徴とする鼻緒飾り。
【請求項２】
従来の草履をそのまま使い、草履の鼻緒を鼻緒飾りの取付け部として使用し、幅広な鼻緒飾りで従来の鼻緒を覆い新たな意匠を表現することができることを特徴とする鼻緒飾り。
【発明の詳細な説明】
【技術分野】
【０００１】本発明は、草履の鼻緒飾りに関し、鼻緒飾りによって草履と足をしっかり固定し着脱も容易にできる。鼻緒前部上面に鼻緒より広い面を形成し、鼻緒上面の意匠を容易に替えることができる鼻緒飾りに関する。
【背景技術】
【０００２】従来の草履は着る衣装によって鼻緒の色、柄を変えることができず、草履本体を衣装に合わせて履き替えていた。
【発明の開示】
【発明が解決しようとする課題】
【０００３】従来の草履は鼻緒で足に固定するが、履きなれない人や活動的な動作では脱げやすかった。草履を履いた時、脱げにくく活動的な動作に対応できる着脱容易な鼻緒飾りを提供することを目的とする。【０００４】従来の草履は着る衣装によって調和する鼻緒の色、柄のみを替えることができなかった。従来の草履本体をそのまま使い、衣装に合せて鼻緒飾りを簡易に着脱できる幅広い鼻緒飾りを提供することを目的とする。
【課題を解決するための手段】
【０００５】本考案の鼻緒飾りは、草履を履きなれない人や、活動的な動作でも脱落しないよう、草履の鼻緒上面を布等の柔らかな素材で作成した鼻緒飾りを巻いて装着し、鼻緒飾りの両端部を足のかがと部に回して締め、両端部に固着した平面ファスナーでかかと部にしっかりと固定し、鼻緒飾り中ほどに付けた左右の紐を結び脱げないようにすることを特徴とする鼻緒飾り。【０００６】鼻緒飾りは従来の草履の鼻緒を鼻緒飾りの取り付けに使用し、従来の鼻緒面より広い鼻緒の意匠を表現することができることを特徴とする鼻緒飾り。
【発明の効果】
【０００７】本考案は従来の草履を使い、鼻緒飾りで草履とかかとを固定することによって、活動的な動作でも脱げないようにする。鼻緒飾りを簡易に着脱することにより従来和装等の衣装に調和する草履を選択していたが、草履自体の鼻緒の色、柄の意匠に関係なく、衣装と鼻緒飾りの調和するもので、簡易に鼻緒飾りを取り付けることができる履物を提供することである。
【発明を実施するための最良の形態】
【０００８】以下、本発明の実施の形態を図に基づいて説明する。
【実施例】
【０００９】本考案の鼻緒飾りは図１の鼻緒飾り１の通り鼻緒とかかとにまわる図のような曲線形状に、布等の柔らかな素材を用いて形成する。鼻緒飾り両端部に平面ファスナー２ａ、２ｂを固着する。この鼻緒飾りを図２の鼻緒５ａ、５ｂの前部と緒６にかぶせるように置き、図３の鼻緒飾り１の両端を左右の鼻緒５ａ、５ｂにそれぞれそれ外側から内方向に巻き草履を履いた状態で平面ファスナー２ａ、２ｂでかかと上部で固定する。【００１０】図３の左右の紐３ａ、３ｂで草履を履いた状態で結び固定する。従来の草履の鼻緒は鼻緒飾りで覆い、新たな鼻緒飾りの意匠を見せることができる。また平面ファスナーと紐を解くことにより容易に着脱できる。
【図面の簡単な説明】
【００１１】
【図１】鼻緒飾り構成の平面図
【図２】鼻緒飾り取り付け位置を示す平面図
【図３】取り付け方を示す平面図
【図４】取り付けた状態を示す斜視図
【符号の説明】
【００１２】１・・・・・・・鼻緒飾り
２ａ・・・・・・平面ファスナー
２ｂ・・・・・・平面ファスナー
３ａ・・・・・・紐
３ｂ・・・・・・紐
４・・・・・・・草履台
５ａ・・・・・・鼻緒
５ｂ・・・・・・鼻緒
６・・・・・・・緒
【図１】
2006130269.tif 000003
【図２】
2006130269.tif 000004
【図３】
2006130269.tif 000005
【図４】
2006130269.tif 000006
(57)【要約】      （修正有）【課題】切った食材を下にこぼさずに、まな板から直接鍋等に入れることが出来る、まな板用の漏斗を提供する。【解決手段】半円状の漏斗に、枠のついたまな板の受け板を設け、この受け板にまな板を固定するための留め具を設ける、もしくは漏斗に直接まな板の留め具を設けた、もしくはまな板と一体化したので、切った食材をこぼさずにまな板から直接鍋等に入れることが出来る。【選択図】図３
2006130265.tif 000002
【特許請求の範囲】
【請求項１】
半円状の漏斗に、枠のついたまな板の受け板を設け、この受け板にまな板を固定するための留め具を設ける、もしくは漏斗に直接まな板の留め具を設けた、もしくはまな板と一体化した、切った食材をこぼさずにまな板から直接鍋等に入れることが出来ることを特徴とするまな板用の漏斗。
【発明の詳細な説明】
【技術分野】
【０００１】  本発明は、切った食材を下にこぼさずに、まな板から直接鍋等に入れることが出来る、まな板用の漏斗に関するものである。
【背景技術】
【０００２】  従来、まな板の上で切った食材を鍋等に入れるとき、直接入れるとこぼれるか、別の容器に一旦移してから入れていた。
【発明の開示】
【発明が解決しようとする課題】
【０００３】  そのために、次のような問題点があった。
直接まな板から鍋等に入れようとすると、まな板の横からこぼれ落ちて不衛生であった。またそれを防ぐためには、別の容器に一旦移す必要があり面倒であった。
本発明は以上の問題点を解決するものである。
【課題を解決するための手段】
【０００４】半円状の漏斗に、枠のついたまな板の受け板を設け、この受け板にまな板を固定するための留め具を設ける、もしくは漏斗に直接まな板の留め具を設けた、もしくはまな板と一体化した、切った食材をこぼさずにまな板から直接鍋等に入れることが出来る。以上を特徴とするまな板用の漏斗。
【発明の効果】
【０００５】  本発明は、切った食材を下にこぼさずに、まな板から直接鍋等に入れることが出来る。したがって、衛生的であり、別の容器に移しかえるわずらわしさが無い。
【発明を実施するための最良の形態】
【０００６】  以下、本発明の実施の形態を説明する。
（イ）半円状の漏斗（１）の出口（７）底面部に斜面（２）を設ける。
（ロ）漏斗（１）の入口側に、横枠（３）の付いたまな板（６）の受け板（４）を設ける。もしくは、まな板の留め具を設ける。
（ハ）受け板（４）にまな板（６）を固定する為の留め具（５）を設ける。
本発明は、以上の構成よりなっている。
本発明を使用するときは、まな板（６）を留め具（５）に挟み込み使用する。
まな板（６）の上で切った食材を鍋等へ入れるときは、受け板（４）を持ち、鍋等に傾けて出口（７）より食材を滑り落として入れる。
この時、まな板（６）の横から食材がこぼれても、受け板（４）の横枠（３）によって下にこぼれ落ちることなく、鍋等へ導かれる。
また、切った食材でまな板が一杯になった時は、漏斗（１）にきった食材を入れれば、斜面（２）があるのでこぼれることなく溜めることが出来る。
【図面の簡単な説明】
【０００７】
【図１】本発明の斜視図
【図２】本発明の断面図
【図３】本発明の使用状態を示す斜視図
【図４】本発明の斜視図（受け板を省いたタイプ）
【符号の説明】
【０００８】１  漏斗
２  斜面
３  横枠
４  受け板
５  留め具
６  まな板
７  出口
【図１】
2006130265.tif 000003
【図２】
2006130265.tif 000004
【図３】
2006130265.tif 000005
【図４】
2006130265.tif 000006
(57)【要約】【課題】  支軸の凸部の形状により数種類の腹筋や背筋等のストレッチを行うことが出来る、多面体ストレッチ椅子を提供する。【解決手段】  平行に相対する面を３組以上持つ形状で、相対する面の一方に角錐や三角柱形状の凸部を設けた、凸部を下にして反対側の座面にバランスをとりながら座ることで、数種類の腹筋や背筋等のストレッチを行うことが出来ることを特徴とする多面体ストレッチ椅子。【選択図】  図４
2006130266.tif 000002
【特許請求の範囲】
【請求項１】
平行に相対する面を３組以上持つ形状で、相対する面の一方に角錐や三角柱形状の凸部を設けた、凸部を下にして反対側の座面にバランスをとりながら座ることで、数種類の腹筋や背筋等のストレッチを行うことが出来ることを特徴とする多面体ストレッチ椅子。
【発明の詳細な説明】
【技術分野】
【０００１】  本発明は、支軸の凸部の形状により数種類の腹筋や背筋等のストレッチを行うことが出来る、多面体ストレッチ椅子に関するものである。
【背景技術】
【０００２】  従来、支軸がアンバランスな椅子に座り、バランスをとることでストレッチを行っていたが、一種類の支軸しかなかった。
【発明の開示】
【発明が解決しようとする課題】
【０００３】  そのために、次のような問題点があった。
椅子の支軸が一種類であるので、ストレッチも一種類しか出来なかった。
椅子で数種類のストレッチをするためには、その数だけストレッチ椅子の種類が必要であり、不経済であった。
本発明は以上の問題点を解決するものである。
【課題を解決するための手段】
【０００４】  平行に相対する面を３組以上持つ形状で、相対する面の一方に角錐や三角柱形状の凸部を設けた、凸部を下にして反対側の座面にバランスをとりながら座ることで、数種類の腹筋や背筋等のストレッチを行うことが出来る。以上を特徴とする多面体ストレッチ椅子。
【発明の効果】
【０００５】  本発明は、一つのストレッチ椅子で数種類の腹筋や背筋等のストレッチを行うことが出来る。したがって、数種類のストレッチ椅子を揃える必要がなく、経済的である。また、座る箇所を換えるだけで手軽にストレッチの種類を変えることが出来る。
【発明を実施するための最良の形態】
【０００６】  以下、本発明の実施の形態を説明する。
尚今回の形態は、例として椅子の基本体を正六面体として説明する。
（イ）基本体（１）の座面（２）の反対側に四角錐支軸（３）を設ける。
（ロ）基本体（１）の座面（４）の反対側に三角柱支軸（５）を設ける。
（ハ）基本体（１）の座面（６）の反対側に平面支軸（７）を設ける。
本発明は、以上の構成よりなっている。
本発明を使用するときは、円周方向にストレッチを行い、一度に腹筋・背筋・脇腹を鍛えるときは、座面（２）に座りストレッチを行う。
前後・もしくは左右に椅子を揺り動かして、集中的に腹筋・背筋を鍛えるときは、座面（４）に座りストレッチを行う。
普通の椅子として使用するときは、座面（６）に座り使用する。
基本体（１）の面の数を増やせば、支軸の形の種類をそれだけ増やすことが出来る。
【図面の簡単な説明】
【０００７】
【図１】本発明の斜視図
【図２】本発明の正面図
【図３】本発明の平面図
【図４】本発明の使用状態を示す斜視図
【符号の説明】
【０００８】      １  基本体
２  座面
３  四角錐支軸
４  座面
５  三角柱支軸
６  座面
７  平面支軸
【図１】
2006130266.tif 000003
【図２】
2006130266.tif 000004
【図３】
2006130266.tif 000005
【図４】
2006130266.tif 000006
(57)【要約】      （修正有）【課題】磁石を使ったデザイン性と創造性に優れた玩具及びインテリア用品の提供。【解決手段】一つの板状のものに丘状の部分と球体がセットされており，お椀を伏せた状態の円形の丘状の頂上部分の内部に永久磁石を埋め込み、セットされた球体の内部に永久磁石と鈴を埋め込んだものを極性の異なる磁性により接触させ接触面の位置や球体の初動時のあり方によって回転しながら頂上部分に吸着したり直線的に頂上部分に吸着したりする玩具及びインテリア用品。【選択図】図１
2006130282.tif 000002
【特許請求の範囲】
【請求項１】
お椀を伏せた状態の円形の丘状の頂上部分の内部に永久磁石を埋め込み、球体の内部に永久磁石と鈴を埋め込んだものを極性の異なる磁性により接触させ接触面の位置や球体の初動時のあり方によって回転しながら頂上部分に吸着したり直線的に頂上部分に吸着したりする玩具及びインテリア用品
【発明の詳細な説明】
【技術分野】
【０００１】本発明は磁石を用いた玩具及びインテリア用品に関するものである
【背景技術】
【０００２】従来の磁石を用いた玩具及びインテリア用品には連結車両、ブロック積み木、砂鉄を利用したお絵描きボード、ペーパーホルダー、ドアチャイム、ドアストッパー、ペンホルダー、マグネットクリップ、靴べら、フック、魚釣りゲーム、パズル、囲碁、将棋、麻雀、オセロ、チェス、野球盤、知育玩具等がある
【発明の開示】
【発明が解決しようとする課題】
【０００３】上記の商品類における磁石の利用方法は、磁石の持つ磁性を利用して単純に吸着させることで完結するものが多く、磁石の持つ磁力の動きの面白さ、可能性をダイレクトに表現したものはなかった
【課題を解決しようとする手段】
【０００４】お椀を伏せた状態の円形の丘状の頂上部分の内部に永久磁石を埋め込み、球体の内部に永久磁石と鈴を埋め込んだものを極性の異なる磁性により接触させ接触面の位置や球体の初動時のあり方によって回転しながら頂上部分に吸着したり直線的に頂上部分に吸着したりする玩具及びインテリア用品
【発明の効果】
【０００５】課題を解決するに十分な固有の効果を有するものであり、きわめて使いやすく丈夫で上質のものである
【発明を実施するための最良の形態】
【０００６】図１は全体の平面図である。Ａは丘状になった部分と球体を納める部分が一体になっている。Ｂは球体である。１は丘状の部分の内部に埋め込まれた磁石で２は１の下部の部分に埋め込まれた磁石である。３は勾配のついた丘にあたる部分で４は球体が丘状の部分の磁力の影響があまり届かない位置で球体が周囲を周回する部分である。図２は図１のイとロの位置での断面図であり５と６は磁石である。図３はＣが球体の断面図であり７は鈴、８は磁石である。Ｄは球体の平面図である。
本発明は磁力の吸着力により球体が重力に反して丘状の部分を駈け登る動きを具現化したものである。本発明の製作に関してはプラスチックや陶器、ゴム、ウレタン、スポンジ等の化学製品を使用した一体成型が大量生産をするうえで簡単であるが手に取って使用したりインテリア用品として室内に飾ることを考えると木製で無垢材を使用することが望ましい。
【産業上の利用可能性】
【０００７】幼児教育用の知育玩具として磁石の特性を知る為に利用することが可能であり肢体不自由者のリハビリ用品としても使用可能である。またインテリア用品としては自由に形を変えられる置物として使用でき、施設等の待合室の時間つぶし用の備品兼玩具ともなる。磁石が内蔵されているので接着できる金属と併用すればメモクリップとしても利用可能である。
【図面の簡単な説明】
【０００８】
【図１】丘状の部分に球体がセットされた平面図である
【図２】丘状の部分の断面図である
【図３】球体の断面図と平面図である
【符号の説明】
【０００９】Ａは全体の平面図
Ｂは球体
Ｃは球体断面図
Ｄは球体平面図
１は磁石
２は磁石
３は丘状部分
４は球体の周回路
５は磁石
６は磁石
７は鈴
８は磁石
【図１】
2006130282.tif 000003
【図２】
2006130282.tif 000004
【図３】
2006130282.tif 000005
(57)【要約】【課題】足の向こうずねを階段でひどくぶつけてしまった時、傷口から血液は流れ出るし痛みもひどくその上に衣類との接触や布団の重みがその傷口をよりいっそう痛めつけていました。せめて外部からの刺激を受けない方法はないかと考えてガーゼを立体型にすることを思いつきました。【解決手段】ガーゼを立体型（ドーナツ型）にして傷口をドーナツ型の穴の部分に合わせて、その立体型ガーゼを医療用テープで固定します。このことによって、傷口を外部との接触から避けることができます。またその上から薄手のガーゼで覆うことで埃などの異物から傷口を保護することができ傷口を立体的空間に置くことで通気性を良くして治りを早めることができる。【選択図】図３
2006130280.tif 000002
【特許請求の範囲】
【請求項１】
傷の手当ての仕方として、従来の平面的なガーゼなどの貼り付け方法から立体的ガーゼを造ることによって傷を立体的空間で保護することを提案したいと思います。
【発明の詳細な説明】
【技術分野】
【０００１】本発明は、擦り傷や切り傷その他皮膚の炎症などの患部に立体型（ドーナツ型）ガーゼの穴    の部分を傷口に合わせて固定することにより、患部がガーゼや衣服などとの接触がなく、また外部からの刺激を直接受けることがないので痛みを和らげることができ、通気性がとても良いので患部の治りが早いというものです。
【背景技術】
【０００２】従来は擦り傷や切り傷などの患部にガーゼやばんそうこうを直接貼ることによって傷口を保護していました。
【発明の開示】
【発明が解決しようとする課題】
【０００３】傷口をガーゼやばんそうこうを貼って保護する方法は、ほんの小さな切り傷ぐらいならその患部を外部からの刺激や異物から守るためには充分だが、転んだ時にできるぐじゅぐじゅ傷や階段などで向こうずねを打ち骨にひびくくらいの、肉が見えているような傷にはガーゼやばんそうこうを貼っても、衣服や布団などあらゆる刺激で激痛が走る状況があり、またガーゼやばんそうこうを剥がす際ガーゼと傷口がくっついてしまい剥がれないことがあり、入浴時にぬるま湯でふやかして剥がすことがしばしばありました。またぐじゅぐじゅ傷は特に傷口からの蒸気でばんそうこう内は湿気の量が非常に多いため傷口が乾きにくかった。
【課題を解決するための手段】
【０００４】前項で述べた直接ガーゼやばんそうこうが肌に接触する方法での傷口の保護の問題点を解決するために従来の平面的なガーゼやばんそうこうでの患部の保護から立体的空間の保護へ変えることによって外部からの刺激痛やガーゼ交換の際におきる傷口とガーゼの付着を剥がす痛みをなくします。また傷口を立体的空間に置くことによって通気性が良くなり傷口の乾きを早めることができます。
【発明の効果】
【０００５】この立体型（ドーナツ型）ガーゼ１でひどい傷口を囲い薄手のガーゼ２で覆いかぶせることによって傷を部屋に中にいる状態と同じになり外部からの刺激を直接受けることがなくなります。また患部とガーゼやばんそうこうとの接触部分がないのでガーゼなどの取り替えの際傷口がガーゼにくっついてしまって剥がれないなんてことはありません。また立体型ガーゼ１を薄いガーゼ２で覆っているだけなので通気性が大変よくぐじゅぐじゅ傷などからの蒸気がこもることがなくなります。ぐじゅぐじゅ傷が直接ガーゼやばんそうこうに触れている場合に比べて傷口の乾きはとても早いのでかさぶたになりやすく完治の時期も早くなります。
【実施例１】
【０００６】長方形のガーゼにクッション材となるティッシュや綿などを入れて巻き、それを閉じてドーナツ型にする。立体型（ドーナツ型）ガーゼ１の穴の部分に傷口４を合わせて医療用テープ３で固定する。（この時立体型ガーゼの厚みや大きさは傷に大きさによって異なる。）その上から薄手のガーゼ２で固定された立体型ガーゼ１を覆い医療用テープ３で貼る。
【図面の簡単な説明】
【０００７】
【図１】  本発明の正面図である。
【図２】  本発明の使用状態を示す断面図である。
【図３】  本発明の使用状態を示す図である。
【符号の説明】
【０００８】      １  立体型（ドーナツ型）ガーゼ本体
２  薄手のガーゼ
３  医療用テープ
４  傷口
【図１】
2006130280.tif 000003
【図２】
2006130280.tif 000004
【図３】
2006130280.tif 000005
【手続補正書】
【提出日】平成17年5月23日(2005.5.23)
【手続補正１】
【補正対象書類名】明細書
【補正対象項目名】０００６
【補正方法】変更
【補正の内容】
【０００６】長方形のガーゼにクッション材となるティッシュや綿などを入れて巻き、それを閉じてドーナツ型にする。また、脱脂綿を固めてドーナツ型にするのも良い。そして、立体型（ドーナツ型）ガーゼ１の穴の部分に傷口４を合わせて医療用テープ３で固定する。（この時立体型ガーゼの厚みや大きさは傷の大きさによって異なる。）その上から薄手のガーゼ２で固定された立体型１を覆い医療用テープ３で貼る。
(57)【要約】      （修正有）【解決手段】  円柱状の上面部４と下面部５の横円周部の両片側に、円周に沿った湾曲した凸の唇止部２と指当て部３け、両片側から連なる湾曲した凹の唇当て部１を設けて構成した。【効果】これにより頬を鍛えて、脂肪を燃焼させて頬が引き締まり活力が蘇り、顔が細くなり美しく若返りさらに、息を吹いたり吸ったりするので肺活力が鍛えられて、喘息などの改善効果が得られる。【選択図】    図１
2006130272.tif 000002
【特許請求の範囲】
【請求項１】
円柱状の上面部と下面部の横円周部の両片側に、円周に沿った湾曲した凸の唇止部と指当て部を設け、両片側から連なる湾曲した凹の唇当て部が設けられている。唇当て部の円周に両唇を強く当ててつぼめ、指当て部を手でつまみ、左右、上下、各斜めに平行に動かし、頬を鍛えるために唇と頬はつねに反対方向に逆らい、唇が外れないように唇止部がストッパーとなり、上面部に息を強く吹きかけたときも唇止部がストッパーとなり、息を強く吸ったときは指当て部がストッパーとなり頬を鍛えることにより、ぶよぶよに垂れ下がった頬が、引き締まり顔が細くなり美しく若返りさらに、息を吹いたり吸ったりするので肺活力が鍛えられて、喘息などの改善効果が得られる美容健康医療具。
【発明の詳細な説明】
【技術分野】
【技術分野】
【０００１】  この発明は、脂肪で垂れ下がった頬を鍛えて、脂肪を燃焼させて頬が引き締まり活力が蘇り、顔が細くなり美しく若返りさらに、息を吹いたり吸ったりするので肺活力が鍛えられて、喘息などの改善効果が得られる美容健康医療具。
【背景技術】
【０００２】
【特許文献】  類似するもが無かった。
【発明の開示】
【発明が解決しようとする課題】
【０００３】  類似するものが無かった。
【課題を解決する手段】
【０００４】  円柱状の上面部４と下面部５の横円周部の両片側に、円周に沿った湾曲した凸の唇止部２と指当て部３を設け、両片側から連なる湾曲した凹の唇当て部１が設けられたものである。
【発明の効果】
【０００５】  この発明は、脂肪で垂れ下がった頬を鍛えて、脂肪を燃焼させて頬が引き締まり活力が蘇り、顔が細くなり美しく若返りさらに、息を吹いたり吸ったりするので肺活力が鍛えられて、喘息などの改善効果が得られる美容健康医療具を提供できる。
【発明を実施するための最良の形態】
【０００６】  以下、本発明の実施の形態を図１〜図３を用に基づいて説明する。【０００７】  図に示すように本発明は、円柱状の上面部４と下面部５の横円周部の両片側に、円周に沿った湾曲した凸の唇止部２と指当て部３を設け、両片側から連なる湾曲した凹の唇当て部１が設けられたものである【０００８】  以下、上記構成の使用を説明する。唇当て部１の円周に両唇を強く当ててつぼめ、指当て部３を手でつまみ、左右、上下、各斜めに平行に動かし、頬を鍛えるために唇と頬はつねに反対方向に逆らい、唇が外れないように唇止部２がストッパーとなり、上面部４に息を強く吹きかけたときも唇止部２がストッパーとなり、息を強く吸ったときは指当て部３がストッパーとなり頬を鍛えることにより、ぶよぶよに垂れ下がった頬が引き締まって顔が細くなりさらに、上面部４に息を吹いたり吸ったりするので肺活力が鍛えられて、喘息も改善された。【０００９】  以上の実施の形態について説明したが、軽くするために中が空洞で下面部を排除し、材質、円形、形、大きさ、長さ、などにはこだわってはいない。たとえば、口の中に触れても安心で唇にソフトでさらに、子供と大人、又は外国人との口と指の大きさは違い、違いに合わせ、唇の形に合わせるために努力しながら品質向上し、１種類ではなく数種類が必要である。
【発明の効果】
【００１０】  本発明を使用することによって、小さく持ち運びできて簡単に頬を鍛えることにより、ぶよぶよに垂れ下がった頬が、引き締まり顔が細くなり美しく若返りさらに、息を吹いたり吸ったりするので肺活力が鍛えられて、喘息などの改善効果が得られる。
【図面の簡単な説明】
【００１１】
【図１】    本発明の実地形態を示す側面図である。
【図２】    本発明の上面図である。
【図３】    本発明の使用図である。
【符号の説明】
【０００７】    １      唇当て部
２      唇止部
３      指当て部
４      上面部
５      下面部
【図１】
2006130272.tif 000003
【図２】
2006130272.tif 000004
【図３】
2006130272.tif 000005
(57)【要約】      （修正有）【課題】着脱が楽な布団カバーを提供する。【解決手段】敷き布団又は掛け布団をくるむカバーで、袋状の部分２の付いた同型の上側部分と下側部分から構成され、布団の両端を各の袋状部分に収納し、結び紐４及びマジックテープ６で止着する。【選択図】図３
2006130277.tif 000002
【特許請求の範囲】
【請求項１】
敷き布団を主にくるむカバーで、袋状の部分のついた同型の上側と下側からなる布団カバー。掛け布団用も同様である。
【請求項２】
布団カバーでも袋状や一枚ものではなく、貝のように、上下に別々に分け、下側と上側をあわせて使うカバー。
【発明の詳細な説明】
【技術分野】
【０００１】本発明は寝具をくるむための、布団カバーに関するものである。
【背景技術】
【０００２】従来より布団のカバーは幾種類も考え出されてきた。
【発明の開示】
【発明が解決しようとする課題】
【０００３】従来のものは次のような欠点があった。
１）袋状カバーの四隅にあわせて、大きく、重い布団を入れようとすると、特に高齢者や介護者等に大変な重労働である。
２）袋状カバーの片側が汚れても、全体を洗濯する必要がある。
３）人が寝ている場合、取替えができにくい。
４）洗濯においても、干す場合も、大きくて手間が大変である。
本考案はこれらの欠点を除くためになされたものである。
【課題を解決するための手段】イ）袋状カバーの袋状になっている部分を、対になった貝のように、上側と下側のそれぞれに残して切り離し、（Ａ）、（Ｂ）とする。
ロ）（Ａ）、（Ｂ）とも、片側の袋状部分の先端に結び合わせのための、紐をつける。紐は結び合わせどうしで同色とする。
ハ）先に（Ａ）を敷き、布団を袋状部分に差し入れ、次に（Ｂ）を袋状部分を下向きに、（Ａ）と反対方向から布団にかぶせ、差し入れる。
ニ）同色の紐どうし結び、あわせる。又、脇はマジックテープで閉じる。
【発明の効果】１）片側に袋状のある上側と下側のカバーをあわせて布団を差し入れるだけなので、着脱が楽である。
２）汚れた側のみ洗濯でき、干すのも楽である。
３）人が寝ていても取り替えやすい。
４）購入時も片側のみ購入できて、経済的である。
５）上と下のカバーをそれぞれに色を変えれば、リバーシブルで使用でき、ファッション性も得られる。
６）敷き布団、掛け布団両方ともに、同様カバーで使用できるが掛け布団の場合は、布団の模様が見えるように前面の一部にメッシュ生地を使用する。
７）あわせ部分には紐以外にも、マジックテープやホックなどでも応用する。
【発明を実施するための最良の形態】特に、高齢者、介護者など福祉関係分野において、役に立てればと考案しました。
【実施例】
【産業上の利用可能性】
【図面の簡単な説明】カバーのみの図面（図１）と、使用例の図面（図２，３）である。（図３は使用状態が分りやすいように、上のカバーの一部をめくった図である）【図１】同型のカバー、（Ａ）、（Ｂ）を示した斜視図である。
【図２】使用例を示した平面図である。
【図３】使用例を示した斜視図である。
【符号の説明】
▲１▼  袋状部分のある下のカバー（Ａ）
▲２▼  袋状部分のある上のカバー（Ｂ）
▲３▼  布団
▲４▼  結び紐（片側）
▲５▼  結び紐（他の片側）
▲６▼  脇のマジックテープ
【図１】
2006130277.tif 000003
【図２】
2006130277.tif 000004
【図３】
2006130277.tif 000005
(57)【要約】【課題】  刻んだ野菜等を包丁でまな板上からボウル等に移す際に、散らばらないようにする補助器具を提供する。【解決手段】  スクィージを包丁の根元部に設け、包丁刃面とスクィージの両面で刻んだ野菜等をまとめ、まな板上を散らばらないように擦り落とし易くする包丁用備品器具。【選択図】  図３
2006130278.tif 000002
【特許請求の範囲】
【請求項１】
包丁の刃の背を挟むクリップ部と、クリップ部に接続する、刃面とほぼ直角をなすスクィージ面を持ち、まな板上で、刃面とスクィージ面の成す空間に刻んだ野菜をまとめやすくすることを特徴とする包丁用備品器具。
【請求項２】
包丁の柄方向から刃を挟むように設けたクリップ部と、クリップ部に接続する、刃面とほぼ直角をなすスクィージ面を持ち、まな板上で、刃面とスクィージ面の成す空間に刻んだ野菜をまとめやすくすることを特徴とする包丁用備品器具。
【請求項３】
包丁の刃面に接着するべく設けたマグネットと、マグネットを取り付けた台座部に接続する、刃面とほぼ直角をなすスクィージ面を持ち、まな板上で、刃面とスクィージ面の成す空間に刻んだ野菜をまとめやすくすることを特徴とする包丁用備品器具。
【請求項４】
スクィージにほぼ直角を成し固定的につらなる台座を、蝶番にて包丁の柄と接続し、蝶番軸を中心にスクィージ面を可動としたことを特徴とする包丁用備品器具。
【発明の詳細な説明】
【技術分野】
【０００１】  この発明は、包丁の刃面に取り付け、調理作業を補助する器具に関するものである。
【背景技術】
【０００２】  これまでに同様の器具はないと考えられる。
【発明の開示】
【発明が解決しようとする課題】
【０００３】  野菜等を刻んだものをまな板上からボウル等に移す場合、刻んだものを包丁でまとめながら擦り落とすのが一般的な方法である。しかし包丁で小さくまとめるのは容易ではなく、散らばってボウルにうまく入らないことがあった。
【課題を解決するための手段】
【０００４】  包丁の刃面とほぼ直角をなすスクィージを包丁の根元部に設け、包丁刃面とスクィージの成すＬ字型の空間に刻んだ野菜等をまとめ、まな板上を散らばらないように擦り落とし易くする。以上を特徴とする包丁用備品器具である。
【発明の効果】
【０００５】  刻んだ野菜等を散らばせることなくまとめながら、まな板からボウル等に、より正確に迅速に擦り落とすことが可能になる。
【発明の実施するための最良の形態】
【０００６】  以下、本発明にかかわる器具の実施の形態を図面に基づいて説明する。図１は本発明の実施例の斜視図であり、クリップ１とスクィージ２よりなる。図２の取り付け状態図に示すようにクリップ１は包丁の背側より挟むためのものであり、クリップ１に接続する、刃面とほぼ直角をなすスクィージ２は、まな板上で、刃面と成す空間に刻んだ野菜をまとめやすくするためのものである。なお右利きの場合、刻んだ野菜は包丁の右側にあるため、スクィージ２も包丁の右側になるように取り付ける。図３はその使用状態図である。包丁Ａの刃面とスクィージ２より成すＬ字型の空間に刻んだ野菜等をまとめ、まな板Ｂ上を擦り、ボウルＣ等に落とす。
【０００７】  また図４の実施例のようにクリップ４を包丁の柄方向から刃を挟む形式にしても良い。この場合、包丁の柄方向から刃を挟むように設けたクリップ４と、クリップ４に接続する、刃面とほぼ直角をなすスクィージ３を持ち、まな板上で、刃面とクィージ３の成す空間に刻んだ野菜をまとめやすくしている。
【０００８】  また図５の実施例のように、クリップの代わりに包丁刃面に当たる台座５部分にマグネット７を設置し、刃面に接着させてもよい。図５では台座５の包丁刃面側にマグネット７を設けているが、この位置は包丁刃面に対し台座５の裏側でも良い。また台座そのものが磁性を持つ素材でも良い。
【０００９】  あるいはまた図６の実施例のように、スクィージ１１にほぼ直角を成し固定的につらなる台座９を蝶番８と接続し、包丁の柄に蝶番８を固定する方法でも良い。この場合、スクィージ１１を使用しない場合は、蝶番軸１０を回転軸に、台座９を包丁の柄方向に折ることが可能となるので、包丁でのカット作業の妨げになりにくい。またハンドル１２を台座９に取り付けると、指で容易にスクィージ１１を折り畳むことが可能となる。
【図面の簡単な説明】
【００１０】
【図１】  請求項１に関わる実施例の斜視図
【図２】  請求項１に関わる実施例の取り付け状態図
【図３】  請求項１に関わる実施例の使用状態図
【図４】  請求項２に関わる実施例の斜視図
【図５】  請求項３に関わる実施例の取り付け図
【図６】  請求項４に関わる実施例の取り付け図
【符号の説明】
【００１１】１    クリップ
２    スクィージ
３    台座
４    クリップ
５    スクィージ
６    スクィージ
７    マグネット
８    蝶番
９    台座
１０  蝶番軸
１１  スクィージ
１２  ハンドル
Ａ    包丁
Ｂ    まな板
Ｃ    ボウル
【図１】
2006130278.tif 000003
【図２】
2006130278.tif 000004
【図３】
2006130278.tif 000005
【図４】
2006130278.tif 000006
【図５】
2006130278.tif 000007
【図６】
2006130278.tif 000008
(57)【要約】【課題】従来の粘着テープ清掃具では粘着力が強すぎて使用できなかったフローリングやテーブル等の表面が平らな部分や紙面の消しゴムのくずまで直接使用可能で、アクリル毛糸等を粘着して網戸や観葉植物の清掃もでき、ゴミや埃、毛髪、ペットの毛等を付着して汚れたテープを二つ折りに貼り合わせてテープ本体の容器に直接収容する簡単な構造で衛生的、経済的な清掃具を提供する。【解決手段】ほぼ船底形でテーパー状の基板の左右に側板を設けて案内溝を構成し該基板に線状よりなる着止体を取りつける。【選択図】  図２
2006130276.tif 000002
【特許請求の範囲】
【請求項１】
ほぼ船底形でテーパー状の基板の左右に側板を設けて案内溝を構成し該基板の後部に線状よりなる着止体を固着したことを特徴とする粘着テープクリーナー。
【発明の詳細な説明】
【技術分野】
【０００１】    この発明は、簡単な構造によるクラフトテープ利用のクリーナーに関する。
【背景技術】
【０００２】    従来の技術としては特開２０００−２５４０９０の粘着クリーナーの情報開示があるが台紙に巻き取る方法で構造が複雑で使用に際して不都合もあった。
【発明の開示】
【発明が解決しょうとする課題】
【０００３】    簡単な構造にするためにゴミや毛髪等を付着させその汚れたテープを二つ折りにして貼り合わせテープ本体の容器に直接収容する。
【０００４】  従来、テープの粘着力が強すぎて使用できなかったフローリングやテーブル等表面が平らな部分や紙面上の消しゴムのくずにも直接使用できるようにしたクリーナーを提供する。
【０００５】  毛糸等を用いて網戸や観葉植物の葉も簡単に清掃することができるようにする。
【課題を解決する手段】
【０００６】  ほぼ船底形でテーパー状の基板の左右に側板を設けて案内溝を構成し該基板に線状よりなる着止体を固着する。
【発明の効果】
【０００７】
【０００８】  本発明は安価なクラフトテープで掃除機が使用できない衣服、テーブル上や使用するまでもない少しの場所においてゴミ、糸くず、毛髪やペットの毛などを直接粘着させることができる。
【０００９】  クラフトテープの容器と使用済みのテープの収容部が同一であることが特徴で汚れた使用済みのテープに直接手を触れずに二つ折りに貼り合わせテープ本体の容器に直接収容できるので構造がシンプルである。
【００１０】  従来テープの粘着力が強すぎて使用できなかったフローリングやテーブル等表面が平らな部分や紙面上の消しゴムのかす等にも直接使用可能である。
【００１１】  粘着面にアクリル毛糸等を貼付するだけで網戸や観葉植物の葉の清掃も簡単にできる。
【発明を実施するための最良の形態】
【００１２】  図１は本発明の実施の形態の一例を示す斜視図である、１は基板でクラフトテープを収納する底部でほぼ船底形で下部より上部の方が狭いテーパー状にしており上部でテープの幅と同じにしている。このテーパー状は、使用に際して手の滑り止めと使用済みのテープの収納スペースにゆとりをもたすためである。２の側板は一部が隆起した形状で基板１の左右に設けており基板１よりはみ出してテープの案内溝ａを構成している。この案内溝はテープ更新の際にテープの粘着面どうしを貼り合わせるがテープのロールを案内溝ａに沿わせば容易に重ねることができるためである。なおこの案内溝を平行にするために側板２の案内溝に対応する部分は、ややくの字状としている。３は付着体で線状よりなりリング状にして基板１の後部の着止体用の切り込み７に挿入し固着している。着止体は本体にセットしたテープの粘着面に付着して本体にテープのロールを固定さすためである。【００１３】  図２は本発明の本体にクラフトテープをセットした斜視図である。セットはクラフトテープの先端部を３−４ｃｍ位ロール４から剥離して基板１の端部の内側にその粘着面を貼付させてロール４を本体に収納している、この状態ではまだクラフトテープの表面は剥離面であるので、使用に際してはロールを逆回転させて粘着面を上方に出し基板の後部に固着した線状でリング状の着止体３を粘着面に粘着させて固定している。これで本体を持ち逆さにしてもクラフトテープは脱落することはない。【００１４】  線状の着止体の材質はワイヤー、ナイロン、等で着色が望ましく、太さは０．３ミリ程度としてテープの粘着面に沿って湾曲して貼付するようにしている。これにより本体にテープを固定するとともに粘着面が３分割するため粘着力が弱くなり今まで粘着力が強すぎてフローリングやテーブルの表面や紙面上等には使用できなかったが使用可能となる。【００１５】  本発明の使用方法は本体にクラフトテープをセットして粘着面を表面に出し必要に応じてゴミや毛髪等に直接ペタペタとまたローリング等させて付着させるが着止体３にまたがって付着した毛髪等は着止体を外した場合でも粘着力の弱い方が外れるのでまたがった毛髪等が落脱することはない。【００１６】    図３は粘着面の更新方法の説明を示すもので、着止体３を粘着面から離脱させてテープのロール４を本体から取り出せばテープは基板１の端部に貼付しておりそのまま伸張すると使用済みの汚れた粘着面が表面に出るのでロールを反転させテープを曲折し粘着面どうしが付着しないようにしてロールを案内溝に嵌合させテープの粘着面を基板の先端部の粘着面に合わせるように側板内に沿わせながら押し込めば汚れた粘着面どうしが付着して重なりロールの下に収容できる。
本体内に蓄積した使用済みのテープ６は（図３−Ｃ）基板の端部を軸として丁度バナナの房の如く繋がってロールで圧縮されているので処理はロールのテープを切断し、基板の先端部に貼付しているテープを外してを取り出せば、新規のセットで繰り返し使用することかできる。【００１７】    図４は網戸や観葉植物の清掃用の毛糸等の使用方法を示す斜視図でテープの粘着面に毛糸等５を長いまま先端部をＵ字状に貼付した後に着止体３を付着して、本体を持ち網戸や観葉植物の葉に摺動すれば埃は粘着面に付着して清掃ができる、汚れたテープの更新は毛糸等付着のまま前述どおり処理することができるので本体から出ている残りの毛糸をそのまま用いてＵ字状に貼付し連続して繰り返し使用できる。なお毛糸用のポケットを基板の後端部に設けても良い、図省略。【００１８】    本発明品の本体の材質は特に限定せず、ポリプロピリン等で一体成型してもよい。
【図面の簡単な説明】
【００１９】
【図１】  本発明の一例を示す斜視図
【図２】  本発明の使用の状態を示す斜視図
【図３】  本発明の使用済みのテープの更新の方法を示す説明図（Ｃ図は要部を欠除）
【図４】  本発明の網戸や観葉植物の清掃用の毛糸等の使用方法を示す斜視図
【図５】  本発明の後部の斜視図
【符号の説明】
【００２０】  １      基板
２      側板
３      着止体
４      クラフトテープのロール
５      毛糸等
６      使用済みテープ
７      着止体用の切り込み
ａ      案内溝
【図１】
2006130276.tif 000003
【図２】
2006130276.tif 000004
【図３】
2006130276.tif 000005
【図４】
2006130276.tif 000006
【図５】
2006130276.tif 000007
(57)【要約】【課題】  医療用カテーテルの先端部に金属片（磁石もしくは磁性を帯びる鉄などの金  属）を取り付けることにより、体外から既製の金属探知器で探知することができるようにした医療用器具を提供する。【解決手段】  医療用カテーテルの先端部に磁性金属片を装着することを特徴とする。【選択図】  図１
2006130275.tif 000002
【特許請求の範囲】
【請求項１】
先端部に磁性金属片を装着した金属装着式医療用カテーテル。
【発明の詳細な説明】
【発明の詳細な説明】
【技術分野】
【０００１】  この発明は医療用カテーテルの先端部に金属片（磁石もしくは磁性を帯びる鉄などの金属）を取り付けることにより、体外から既製の金属探知器で探知することができるようにした医療用器具に関するものである。
【背景技術】
【０００２】  その先端部に金属片を装着していない医療用カテーテルを使い医療行為が行われていた。
【発明が解決しようとする課題】
【０００３】  これには次のような欠点があった。
（イ）カテーテルの先端が目的とする器官に確実に入っているかどうかを確かめるのに、カテーテルの他端から注射器を用いて空気を送り込み、その排出される気泡音を聴診器で聴取する方法においては、カテーテルの先端位置より相当離れた位置からでも聴診器が音を捉えてしまうため、実際ある位置を正確に判定するには極めてあいまいであった。その結果、例えば胃に入れるべき栄養カテーテルを誤って気管に挿入し、患者が死亡したりする例が後をたたなかった。
（ロ）また、レントゲン撮影によりカテーテルの先端位置を確認する方法では、放射線による被爆の問題や、手間や費用がかかるなど様々な不便さがあった。
本発明は、これらの欠点を解決するためのものである。
【課題を解決するための手段】
【０００４】  カテーテル（１）の先端部に、磁石もしくは磁性を帯びる鉄などの磁性金属片（２）をカテーテルの中空部（３）をふさぐことなく装着する。
本発明は、以上の構成からなる金属装着式医療用カテーテルである。
【発明を実施するための最良の形態】
【０００５】  以下、本発明の実施の形態について説明する。
従来の医療用カテーテルと同様に体内に本発明によるカテーテル（１）を挿入し、体外にあてがった金属探知器が先端の磁性金属片（２）に反応する信号により正しい位置にカテーテルが挿入されていることを確認する。
【発明の効果】
【０００６】  本発明による金属装着式医療用カテーテルを用いると、カテーテルの挿入位置を体外での金属探知器の反応音によって、簡便かつピンポイントで正確に確認することができるため、従来のカテーテル使用時のような先端部の位置を特定しにくいという欠点を解決することができる。それにより、誤挿入による死亡事故等、深刻な医療ミスを防ぐことが可能となるばかりでなく、挿入位置確認のために行われるレントゲン撮影もおおむね不要となる。これにより、被爆、手間や費用等の問題も解決される。
以上のように、本発明によるカテーテルは、患者側、医療側両者の負担を無くす効果がある。
【図面の簡単な説明】
【図１】  本発明の斜視図である。
【符号の説明】
１．  カテーテル
２．  磁性金属片
３．  中空部
【図１】
2006130275.tif 000003
(57)【要約】      （修正有）【課題】疲労減少の少ない水上・海上浮体構造物（海上基地）を安価に、工期を短くすること。【解決手段】中空棒状と連結用部材をそれぞれ連結可能な仕上げにし全体凸レンズ状枠構造に組立てた物を基本構造とする。【選択図】なし【特許請求の範囲】
【発明の詳細な説明】
【０００１】
【発明の属する技術分野】  水上・海上浮体構造物（海上基地）
【発明が解決しようとする課題】  波のある水面に浮ぶ剛体構造物は部分浮力の繰返し変化に因って疲労現象により寿命が長く無く、強度を増加しようとすれば重量が増し更に被力が増し改善効率が悪く費用は割高に増加する傾向にある。しかも陸上で大きな物を構築し波のある海上で集積しなければならないから天候の影響を敏感に受ける。それによって大きさに限界が出来、１ｋｍ以内に滞る。海上空港など４〜５ｋｍの要求を満たす為に力学的に異なった考えを以て目的を果した物が本発明である。しかも経費・期間を最少にしたい。
【発明が解決した手段】基本構造は長さ約５０ｍの管の両端を取り付け孔を設けた端板で塞いだ中空棒状体を場所毎に設計製作されたジョイントブロックで継ぎ全体を平凸レンズ状に組み立てる。その枠内に調整浮力タンクを水没する様に設置し上面が所定の水面上の高さになる様にする。上面は必要な板材をはって利用に処す。水面上の高さは通常数ｍから＋ｍ位である。こうした構造は浮力が波面の下にあるので波による反復力を僅かしか受けず疲労現象を殆ど免れ得る。横揺れ周期も極めて長くなる。津波等の横からの流れは透き間を抜けて殆ど交わせる台風現象にも軽い影響しか受けない。この様に外力が少いので構造体を節約出来資材・費用を大幅に節減出来るのみならず、現場組立の工期・費用・期間も大幅に節約出来る。基本構造は以上の如くであるが。利用形は多様にある。
【０００２】１．厚みと広さの比を薄くする為に上と底の構造材の数を増す。２．非常に大きい物で深さが大になる場合に内空の気体を与圧する。３．此処を高圧タンクとして外水の圧を利用して壁厚を節約出来る。４．周囲の適当な所に垂直推進器を設けて揺れを更に少なく且望みの形に出来る、これで軽減して更に浮き床を制御すれば殆ど天体観測も出来る程に出来る。５．係留索を巻き取り式とし反対側と続きにしておくと少しの移動も可能である、弛み調整装置を設けると更に良い。６．枠間にタービンを設置し海流を利用して高圧ポンプを使って真水を造る事が出来る。又給水与圧も出来る。７．同前で発電すると変化の少ない連続発電出来る。８．部材の交換も構造の変更も可能（そこを跨ぐ工事用具を用いる）。９．全形は基本に則って少しの応用形も可。
【手続補正書】
【提出日】平成14年3月28日(2002.3.28)
【手続補正２】
【補正対象書類名】明細書
【補正対象項目名】特許請求の範囲
【補正方法】変更
【補正の内容】
【特許請求の範囲】
中空棒状と連結用部材をそれぞれ連結可能な仕上げにし全体凸レンズ状枠構造に組立てた物を基本構造として用途に応じて上記の如き付加装置を加えて目的を果す物及び思想。